【手続補正書】
【提出日】平成24年11月30日(2012.11.30)
【手続補正１】
【補正対象書類名】特許請求の範囲
【補正対象項目名】全文
【補正方法】変更
【補正の内容】
【特許請求の範囲】
【請求項１】
１以上の対象の発達をモニターする発達モニターシステムであって、
管理モジュールと、
１以上のモニターされる対象の発達領域における位置のための
クライアントモジュールとを含み、管理モジュールとクライアントモジュールとは相互に通信可能に構成され、
管理モジュールは、
インターフェースを生成し、特定の行動の特徴の視覚による観察に関して観察データが少なくとも特定の日付に関連するように、少なくとも日付データとともに、視覚による観察データの入力を許容するように、インターフェースをレンダリングのためにクライアントモジュールに送信し、
データベースにデータ入力を書き込み、
クライアントモジュールからの要求を受け取り次第、観察データと日付データをデータベースから検索し、
時間をかけた視覚の観察データを表す視覚記録を生成するステップを含み、このようにして、視覚による観察データを用いて特定の期間内の１以上の対象の発達の評価を容易にする、発達モニターシステム。
【請求項２】
管理モジュールは、ユーザが、発達領域、それぞれの領域の発達要素、グループおよび個々の対象のうちの少なくとも１つに対する、それぞれの発達領域に関する観察データの入力が可能なようなインターフェースを生成するように構成されている、請求項１に記載の発達モニターシステム。
【請求項３】
他のインターフェースへのガイド、および、他のインターフェースからのガイドを要することなく、各種レベルおよび形式のデータを入力可能に構成される共通インターフェースを有するように管理モジュールが構成される、請求項２に記載の発達モニターシステム。
【請求項４】
データの入力に関する観察がされた時に対応するタイムスタンプに関連したデータベースに観察データ入力が書き込まれるようにインターフェースを生成するように管理モジュールが構成されている、請求項2に記載の発達モニターシステム。
【請求項５】
各発達要素は少なくとも数値か色かを有し、管理モジュールが結果を生成するために、それぞれの学習要素に関する一連のスコアを処理するように構成されている、請求項4に記載の発達モニターシステム。
【請求項６】
管理モジュールは、色付の各スコアに関連するように構成され、管理モジュールはさらに、ユーザが時間による色の変化で学習発達の傾向を決定できるように視覚記録ディスプレイが色を表示するよう構成されている、請求項５に記載の発達モニターシステム。
【請求項７】
視覚記録ディスプレイが発達領域を表示するように管理モジュールは構成され、それぞれの領域の発達要素は、それぞれの対象とともに、各スコアが特定の対象および対象がスコア付けされる発達要素に関連するように表示される、請求項６に記載の発達モニターシステム。
【請求項８】
視覚記録表示は表形式であるように管理モジュールは構成され、発達領域と関連する発達要素とに関する情報が一方軸であり、対象に関する情報と少なくとも関連するデータの詳細が他方軸であり、割り当てられたスコアと関連する色が、対象と関連した発達要素の一致を表すセルに表示される、請求項７に記載の発達モニターシステム。
【請求項９】
各セルがインターフェースへのナビゲーションリンクを提供するように構成されるよう管理モジュールを構成する、請求項8に記載の発達モニターシステム。
【請求項１０】
対象又は対象のグループの発達をモニターする方法であって、前記方法は、
インターフェースを生成し、特定の行動の特徴の視覚による観察に関して視覚による観察データを観察データが少なくとも特定の日付に関連するように、少なくとも日付データとともに、入力できるように、インターフェースをレンダリングのためにクライアントモジュールに送信するステップと、
データベースにデータ入力を書き込むステップと、
クライアントモジュールからの要求を受け取り次第、観察データと日付データとをデータベースから検索するステップと、
時間をかけた視覚の観察データを表す視覚記録を生成するステップを含み、このようにして、視覚による観察データを用いて特定の期間内の１以上の対象の発達の評価を容易にする、方法。
【請求項１１】
インターフェースを生成するステップは、ユーザが、発達領域、それぞれの領域の発達要素、グループおよび個々の対象のうちの少なくとも１つに対する、それぞれの発達要素に関する観察データの入力が可能なようにするステップである、請求項１０に記載の方法。
【請求項１２】
インターフェースを生成するステップは、他のインターフェースへのガイド、および、他のインターフェースからのガイドを要することなく、各種レベルおよび形式のデータを入力可能に構成される共通インターフェースを生成するステップである、請求項１１に記載の方法。
【請求項１３】
データの入力は、データ入力に関する観察がされた時に対応するタイムスタンプに関連してデータベースにデータが入力される、請求項１２に記載の方法。
【請求項１４】
各発達要素は、少なくとも数値か色の形態のスコアを有し、結果を生成するために、それぞれの学習要素に関する一連のスコアを処理する、請求項１３に記載の方法。
【請求項１５】
各スコアが予め定められた色と関連するように構成され、視覚ディスプレイの色によって、ユーザが発達要素における時間による色の変化でその傾向を判断できる、請求項１４に記載の方法。
【請求項１６】
視覚記録が、発達領域、それぞれの対象とともに、それぞれの領域の発達要素を表示するように生成され、各スコアが特定の対象および対象がスコア付けされる学習要素に関連するように表示される、請求項１５に記載の方法。
【請求項１７】
視覚記録は表形式であるように生成され、発達領域と関連する発達要素とに関する情報が一方軸であり、対象に関する情報が他方軸であり、割り当てられたスコアと関連する色が、対象と関連した発達要素の一致を表すセルに表示される、請求項１６に記載の方法。
【請求項１８】
各セルがインターフェースへのナビゲーションリンクを提供するように構成されるよう視覚記録が生成される、請求項１７に記載の方法。
【請求項１９】
データ処理マシンによって読みとられる命令の組を保存できる装置であって、
装置は、命令の組を保存するように構成され、
命令がデータ処理マシンによって読み取られた時データ処理マシンは、
インターフェースを生成し、特定の行動の特徴の視覚による観察に関して視覚による観察データを観察データが少なくとも特定の日付に関連するように、少なくとも日付データとともに、入力できるように、インターフェースをレンダリングのためにクライアントモジュールに送信するステップと、
データベースにデータ入力を書き込むステップと、
クライアントモジュールからの要求を受け取り次第、観察データと日付データをデータベースから検索するステップと、
時間をかけた視覚の観察データを表す視覚記録を生成するステップを含み、このようにして、視覚による観察データを用いて特定の期間内の１以上の対象の発達の評価を容易にする、装置。
【請求項２０】
データ処理マシンによって実行可能なソフトウエアプロダクトであって、
ソフトウエアプロダクトは、データ処理マシンによって実行されたとき、データ処理マシンが、
インターフェースを生成し、特定の行動の特徴の視覚による観察に関して視覚による観察データを観察データが少なくとも特定の日付に関連するように、少なくとも日付データとともに、入力できるように、インターフェースをレンダリングのためにクライアントモジュールに送信するステップと、
データベースにデータ入力を書き込むステップと、
クライアントモジュールからの要求を受け取り次第、観察データと日付データとをデータベースから検索するステップと、
時間をかけた視覚の観察データを表す視覚記録を生成するステップを含み、このようにして、視覚による観察データを用いて特定の期間内の１以上の対象の発達の評価を容易にする、ソフトウエアプロダクト。